(57)【要約】【課題】エンジンの自動始動時にロック機構により最も遅いタイミングにロックされた吸気バルブのタイミングをより的確に目標タイミングにする。【解決手段】エンジン３２を自動始動するときには、エンジン３２の目標回転数Ｎｅ＊に所定回転数Ｎｓｅｔを加えた値としてクランキング回転数Ｎｓｔａｒｔを設定してエンジン３２のモータ４１によるクランキングを開始し（Ｓ１００）、エンジン３２の回転数Ｎｅがクランキング回転数Ｎｓｔａｒｔから所定マージンαの範囲内に至るのを待って吸気バルブ１２８の開閉タイミングとしてエンジン３２の目標運転ポイント（目標回転数と目標トルク）に応じた目標タイミングを指令開閉タイミングＶＶＴ＊に設定する（Ｓ１１０〜Ｓ１３０）。これにより、より的確に可変バルブタイミング機構のロックピン本体によるロックを解除し、その後に吸気バルブの開閉タイミングを本来の目標タイミングとすることができる。【選択図】図５
2010163994.tif 000002
【特許請求の範囲】
【請求項１】
吸気バルブのタイミングとして最も遅いタイミングでロックするロック機構を有し油圧駆動により吸気バルブの開閉タイミングを変更する可変バルブタイミング機構が取り付けられたエンジンと、動力を入出力する発電機と、前記エンジンの出力軸と前記発電機の回転軸と車軸に連結された駆動軸との３軸に３つの回転要素が接続された遊星歯車機構と、前記駆動軸に動力を入出力する電動機と、前記発電機および前記電動機と電力のやりとりが可能なバッテリと、前記可変バルブタイミング機構に供給する油圧を前記エンジンの出力軸の回転駆動により発生させる機械式油圧ポンプと、前記エンジンを運転しているときに所定の自動停止条件が成立したときに前記可変バルブタイミング機構により前記吸気バルブの開閉タイミングを最も遅いタイミングとして前記エンジンの運転を停止する自動停止と前記エンジンを自動停止しているときに所定の自動始動条件が成立したときに前記発電機による前記エンジンのクランキングを伴って該エンジンを始動する自動始動とからなる間欠運転制御を伴って走行に要求される要求トルクを前記駆動軸に出力して走行するよう前記可変バルブタイミング機構と前記エンジンと前記発電機と前記電動機とを制御する制御手段と、を備えるハイブリッド自動車において、
前記制御手段は、前記所定の自動始動条件の成立に伴って前記エンジンを自動始動するときには、前記吸気バルブの開閉タイミングが前記最も遅いタイミングで保持された状態で少なくとも前記エンジンの回転数が目標回転数より所定回転数だけ高い始動時回転数に至るまで前記エンジンがクランキングされるよう前記発電機を制御し、前記エンジンの回転数が前記始動時回転数に至ったときに前記吸気バルブの開閉タイミングが目標タイミングに向けて変更されるよう前記可変バルブタイミング機構を制御する手段である、
ことを特徴とするハイブリッド自動車。
【発明の詳細な説明】
【技術分野】
【０００１】
本発明は、ハイブリッド自動車に関する。
【背景技術】
【０００２】
従来、この種のハイブリッド自動車としては、エンジンを始動するときには、吸気バルブの開閉タイミングを変更する可変バルブタイミング機構のロック手段によるロックの解除を行なうために油圧ポンプの回転数を高めるものが提案されている（例えば、特許文献１参照）。この自動車は、油圧ポンプの回転数を高めることによりロック手段によるロックの解除に必要な油圧を確保している。
【先行技術文献】
【特許文献】
【０００３】
【特許文献１】特開２００３−１３７６２号公報
【発明の概要】
【発明が解決しようとする課題】
【０００４】
しかしながら、上述のハイブリッド自動車では、油圧ポンプがエンジンのクランクシャフトの回転により駆動するものの場合には、エンジンの回転数と関わりなく油圧ポンプの回転数だけを高くすることはできない。
【０００５】
本発明のハイブリッド自動車は、エンジンの自動始動時にロック機構により最も遅いタイミングにロックされた吸気バルブのタイミングをより的確に目標タイミングにすることを主目的とする。
【課題を解決するための手段】
【０００６】
本発明のハイブリッド自動車は、上述の主目的を達成するために以下の手段を採った。
【０００７】
本発明のハイブリッド自動車は、
吸気バルブのタイミングとして最も遅いタイミングでロックするロック機構を有し油圧駆動により吸気バルブの開閉タイミングを変更する可変バルブタイミング機構が取り付けられたエンジンと、動力を入出力する発電機と、前記エンジンの出力軸と前記発電機の回転軸と車軸に連結された駆動軸との３軸に３つの回転要素が接続された遊星歯車機構と、前記駆動軸に動力を入出力する電動機と、前記発電機および前記電動機と電力のやりとりが可能なバッテリと、前記可変バルブタイミング機構に供給する油圧を前記エンジンの出力軸の回転駆動により発生させる機械式油圧ポンプと、前記エンジンを運転しているときに所定の自動停止条件が成立したときに前記可変バルブタイミング機構により前記吸気バルブの開閉タイミングを最も遅いタイミングとして前記エンジンの運転を停止する自動停止と前記エンジンを自動停止しているときに所定の自動始動条件が成立したときに前記発電機による前記エンジンのクランキングを伴って該エンジンを始動する自動始動とからなる間欠運転制御を伴って走行に要求される要求トルクを前記駆動軸に出力して走行するよう前記可変バルブタイミング機構と前記エンジンと前記発電機と前記電動機とを制御する制御手段と、を備えるハイブリッド自動車において、
前記制御手段は、前記所定の自動始動条件の成立に伴って前記エンジンを自動始動するときには、前記吸気バルブの開閉タイミングが前記最も遅いタイミングで保持された状態で少なくとも前記エンジンの回転数が目標回転数より所定回転数だけ高い始動時回転数に至るまで前記エンジンがクランキングされるよう前記発電機を制御し、前記エンジンの回転数が前記始動時回転数に至ったときに前記吸気バルブの開閉タイミングが目標タイミングに向けて変更されるよう前記可変バルブタイミング機構を制御する手段である、
ことを特徴とする。
【０００８】
この本発明のハイブリッド自動車では、所定の自動始動条件の成立に伴ってエンジンを自動始動するときには、吸気バルブの開閉タイミングが最も遅いタイミングで保持された状態で少なくともエンジンの回転数が目標回転数より所定回転数だけ高い始動時回転数に至るまでエンジンがクランキングされるよう発電機を制御し、エンジンの回転数が始動時回転数に至ったときに吸気バルブの開閉タイミングが目標タイミングに向けて変更されるよう可変バルブタイミング機構を制御する。エンジンの回転数が目標回転数より所定回転数だけ高い始動時回転数に至るまでエンジンをクランキングするから、機械式油圧ポンプによる油圧を高くすることができ、これにより、ロック機構によるロックを解除して、吸気バルブの開閉タイミングを目標タイミングにすることができる。即ち、エンジンの自動始動時にロック機構により最も遅いタイミングにロックされた吸気バルブのタイミングをより的確に目標タイミングにすることができるのである。
【図面の簡単な説明】
【０００９】
【図１】本発明の一実施例としてのハイブリッド自動車２０の構成の概略を示す構成図である。
【図２】可変バルブタイミング機構１５０の外観構成を示す外観構成図である。
【図３】可変バルブタイミング機構１５０の構成の概略を示す構成図である。
【図４】ロックピン１５４の構成の概略を示す構成図である。
【図５】エンジン３２を自動始動するときにハイブリッド用電子制御ユニット５０により実行される自動始動時回転数開閉タイミング制御ルーチンの一例を示すフローチャートである。
【発明を実施するための形態】
【００１０】
次に、本発明を実施するための形態を実施例を用いて説明する。
【実施例】
【００１１】
図１は、本発明の一実施例としてのハイブリッド自動車２０の構成の概略を示す構成図である。実施例のハイブリッド自動車２０は、図示するように、ガソリンや軽油などを燃料とするエンジン３２と、エンジン３２を駆動制御するエンジン用電子制御ユニット３６と、エンジン３２のクランクシャフト３４にキャリアが接続されると共に駆動輪２６ａ，２６ｂにデファレンシャルギヤ２４を介して連結された駆動軸２２にリングギヤが接続されたプラネタリギヤ３８と、例えば同期発電電動機として構成されて回転子がプラネタリギヤ３８のサンギヤに接続されたモータ４１と、例えば同期発電電動機として構成されて回転子が駆動軸２２に接続されたモータ４２と、モータ４１，４２を駆動するためのインバータ４３，４４と、インバータ４３，４４の図示しないスイッチング素子をスイッチング制御することによってモータ４１，４２を駆動制御するモータ用電子制御ユニット４６と、インバータ４３，４４を介してモータ４１，４２と電力をやりとりするバッテリ４８と、シフトレバーのポジションを検出するシフトポジションセンサ５２からのシフトポジションやアクセルペダルの踏み込み量を検出するアクセルペダルポジションセンサ５４からのアクセル開度，ブレーキペダルの踏み込み量を検出するブレーキペダルポジションセンサ５６からのブレーキポジション，車速センサ５８からの車速を入力すると共にエンジン用電子制御ユニット３６やモータ用電子制御ユニット４６と通信して車両全体を制御するハイブリッド用電子制御ユニット５０と、を備える。
【００１２】
エンジン３２は、吸気バルブの開閉タイミングを連続的に変更可能な可変バルブタイミング機構１５０を備える。図２および図３に、可変バルブタイミング機構１５０の構成の概略を示す構成図を示す。可変バルブタイミング機構１５０は、図示するように、クランクシャフト３４にタイミングチェーン１６２を介して接続されたタイミングギヤ１６４に固定されたハウジング部１５２ａと吸気バルブ１２８を開閉するインテークカムシャフト１２９に固定されたベーン部１５２ｂとからなるベーン式のＶＶＴコントローラ１５２と、ベーン部１５２ｂの位置を検出するベーンポジションセンサ１５３と、ＶＶＴコントローラ１５２の進角室および遅角室に油圧を作用させるオイルコントロールバルブ１５６とを備え、オイルコントロールバルブ１５６を介してＶＶＴコントローラ１５２の進角室および遅角室に作用させる油圧を調節することによりハウジング部１５２ａに対してベーン部１５２ｂを相対的に回転させて吸気バルブ１２８の開閉タイミングにおけるインテークカムシャフト１２９の角度を連続的に変更する。実施例では、エンジン３２から効率よく動力が出力される吸気バルブ１２８の開閉タイミングにおけるインテークカムシャフト１２９の角度を基準角とし、インテークカムシャフト１２９の角度をその基準角よりも進角させることによりエンジン３２から高トルクが出力可能な運転状態とすることができ、インテークカムシャフト１２９の角度を最遅角させることによりエンジン２２の気筒内の圧力変動を小さくしてエンジン３２の運転の停止や始動に適した運転状態とすることができるよう構成されている。
【００１３】
また、ＶＶＴコントローラ１５２のベーン部１５２ｂには、ハウジング部１５２ａとベーン部１５２ｂとの相対回転を固定するロックピン１５４が取り付けられている。図４にロックピン１５４の構成の概略を示す構成図を示す。ロックピン１５４は、図示するようにロックピン本体１５４ａと、ロックピン本体１５４ａがハウジング部１５２ａの方向に付勢されるよう取り付けられたスプリング１５４ｂとを備え、インテークカムシャフト１２９の角度が最遅角に位置されたときにスプリング１５４ｂのスプリング力によりハウジング部１５２ａに形成された溝１５８に嵌合しベーン部１５２ｂをハウジング部１５２ａに固定する。また、ロックピン１５４は、油路１５９を介してスプリング１５４ｂのスプリング力に打ち勝つ油圧を作用させることにより溝１５８に嵌合されたロックピン本体１５４ａを引き抜くことができるよう図示しない油圧式のアクチュエータが設けられている。なお、実施例では、この油圧式のアクチュエータを作動させるための油圧は、図１に示すように、エンジン３２のクランクシャフト３４に取り付けられたギヤポンプ３３により供給される。
【００１４】
実施例のハイブリッド自動車２０は、基本的には、ハイブリッド用電子制御ユニット５０によって実行される以下に説明する駆動制御によって走行する。ハイブリッド用電子制御ユニット５０では、まず、アクセルペダルポジションセンサ５４からのアクセル開度と車速センサ５８からの車速とに応じて走行のために駆動軸２２に要求される要求トルクを設定し、要求トルクに駆動軸２２の回転数（例えば、モータ４２の回転数や車速に換算係数を乗じて得られる回転数）を乗じて走行に要求される走行用パワーを計算すると共に計算した走行用パワーからバッテリ４８の充電容量の割合（ＳＯＣ）に応じて得られるバッテリ４８を充放電するための補正パワー（バッテリ４８から放電するときが正の値）を減じてエンジン３２から出力すべきパワーとしてのエンジン指令パワーを設定する。そして、エンジン指令パワーをエンジン３２を始動するための始動用閾値やエンジン３２の運転を停止するための停止用閾値と比較し、エンジン３２の運転を停止しているときにエンジン指令パワーが始動用閾値を超えたときにはモータ４１からエンジン３２をクランキングするためのトルクを出力すると共にモータ４２から要求トルクに見合うトルクとモータ４１によるエンジン３２のクランキングに伴ってプラネタリギヤ３８を介して駆動軸２２に出力されるトルクを打ち消すトルクとの和のトルクを出力して走行しながらエンジン３２を始動する自動始動を実行し、エンジン３２を運転しているときにエンジン指令パワーが停止用閾値を下回ったときには駆動軸２２に出力されるトルクをモータ４１から出力して走行しながら必要に応じて一時的なエンジン３２のアイドル運転により可変バルブタイミング機構１５０による吸気バルブ１２８の開閉タイミングが最も遅い最遅角のタイミングになった以降にエンジン３２の運転を停止する自動停止を実行する。エンジン３２の運転を継続しているときやエンジン３２を始動した後は、エンジン指令パワーを効率よくエンジン３２から出力することができるエンジン３２の回転数とトルクとの関係としての動作ライン（例えば燃費最適動作ライン）を用いてエンジン３２の目標回転数と目標トルクとを設定し、バッテリ４８を充放電することができる最大電力としての入出力制限の範囲内で、エンジン３２の回転数が目標回転数となるようにするための回転数フィードバック制御によりモータ４１から出力すべきトルクとしてのトルク指令を設定すると共に、要求トルクからモータ４１をトルク指令で駆動したときにプラネタリギヤ３８を介して駆動軸２２に作用するトルクを減じて得られるトルクをモータ４２のトルク指令として設定する。そして、設定したエンジン３２の目標回転数と目標トルクとについてはエンジン用電子制御ユニット３６に送信し、モータ４１，４２のトルク指令についてはモータ用電子制御ユニット４６に送信する。目標回転数と目標トルクとを受信したエンジン用電子制御ユニット３６は、目標回転数と目標トルクとによってエンジン３２が運転されるようエンジン３２の吸入空気量制御や燃料噴射制御，点火制御などを実行し、モータ４１，４２のトルク指令を受信したモータ用電子制御ユニット４６は、モータ４１，４２がトルク指令で駆動されるようインバータ４３，４４のスイッチング素子をスイッチング制御する。一方、エンジン３２の運転停止を継続しているときやエンジン３２の運転を停止した後は、モータ４１のトルク指令に値０を設定すると共にバッテリ４８の入出力制限の範囲内で要求トルクをモータ４２のトルク指令に設定し、設定したモータ４１，４２のトルク指令をモータ用電子制御ユニット４６に送信する。モータ４１，４２のトルク指令を受信したモータ用電子制御ユニット４６は、モータ４１，４２がトルク指令で駆動されるようインバータ４３，４４のスイッチング素子をスイッチング制御する。実施例のハイブリッド自動車２０は、こうした制御により、エンジン３２の間欠運転を伴ってバッテリ４８の入出力制限の範囲内でバッテリを充放電しながらアクセル開度に応じた要求トルクを駆動軸２２に出力して走行することができる。
【００１５】
次に、エンジン３２を自動始動する際の可変バルブタイミング機構１５０の動作について説明する。図５は、エンジン３２を自動始動するときにハイブリッド用電子制御ユニット５０により実行される自動始動時回転数開閉タイミング制御ルーチンの一例を示すフローチャートである。このルーチンが実行されると、ハイブリッド用電子制御ユニット５０は、まず、エンジン３２が運転されているとしたときのエンジン３２の目標回転数Ｎｅ＊に所定回転数Ｎｓｅｔを加えた値としてエンジン３２のクランキング時の目標回転数であるクランキング回転数Ｎｓｔａｒｔを設定し（ステップＳ１００）、エンジン３２の回転数Ｎｅを入力して入力した回転数Ｎｅがクランキング回転数Ｎｓｔａｒｔから所定マージンαの範囲内に至るのを待つ処理を実行する（ステップＳ１１０，Ｓ１２０）。ここで、所定回転数Ｎｓｅｔは、可変バルブタイミング機構１５０の図示しない油圧式のアクチュエータに供給される油圧を十分な圧力とするためにエンジン３２の回転数をかさ上げするための回転数であり、例えば、８００ｒｐｍや１０００ｒｐｍ，１２００ｒｐｍなどを用いることができる。また、所定マージンαは、エンジン３２の回転数Ｎｅがクランキング回転数Ｎｓｔａｒｔ近傍に至ったか否かを判定するためのマージンとして設定されるものであり、例えば、１００ｒｐｍや２００ｒｐｍなどを用いることができる。ハイブリッド用電子制御ユニット５０は、クランキング回転数Ｎｓｔａｒｔを設定すると、エンジン３２がクランキング回転数Ｎｓｔａｒｔに至るようにモータ４１のトルク指令を設定し、設定したトルク指令をモータＥＣＵ４６に送信するから、モータ４１はモータＥＣＵ４６によりトルク指令により駆動制御され、エンジン３２はクランキング回転数Ｎｓｔａｒｔに向けてクランキングされることになる。なお、エンジン３２の目標回転数Ｎｅ＊は、エンジン指令パワーと動作ラインとを用いて設定されるものであることは前述した。
【００１６】
そして、エンジン３２の回転数Ｎｅがクランキング回転数Ｎｓｔａｒｔから所定マージンαの範囲内に至ると、吸気バルブ１２８の開閉タイミングとしてエンジン３２の目標運転ポイント（目標回転数と目標トルク）に応じた目標タイミングを指令開閉タイミングＶＶＴ＊に設定して（ステップＳ１３０）、本ルーチンを終了する。ハイブリッド用電子制御ユニット５０は指令開閉タイミングＶＶＴ＊を設定すると、設定した指令開閉タイミングＶＶＴ＊をエンジンＥＣＵ３６に送信するから、この指令開閉タイミングＶＶＴ＊を受信したエンジンＥＣＵ３６により可変バルブタイミング機構１５０が制御されて吸気バルブ１２８の開閉タイミングが指令開閉タイミングＶＶＴ＊とされる。可変バルブタイミング機構１５０は図示しない油圧式のアクチュエータの作動により機能するため、アクチュエータを作動させるための油圧が十分なときには、油路１５９に油圧が作用してロックピン本体１５４ａをスプリング１５４ｂの付勢力に抗して押し下げ、ロックを解除して吸気バルブ１２８の開閉タイミングＶＶＴを変更するが、アクチュエータを作動させるための油圧が十分ではないときには、ギヤポンプ３３により油圧が確保されるまでロックは解除されない。実施例では、エンジン３２の回転数Ｎｅがクランキング回転数Ｎｓｔａｒｔから所定マージンαの範囲内に至ってから、エンジン３２の目標運転ポイント（目標回転数と目標トルク）に応じた目標タイミングを指令開閉タイミングＶＶＴ＊に設定するため、アクチュエータを作動させるための油圧は十分なものとなっているから、直ちにロックピン本体１５４ａによるロックが解除されて吸気バルブ１２８の開閉タイミングＶＶＴが指令開閉タイミングＶＶＴ＊に向けて変更される。これにより、エンジン３２の自動始動時に可変バルブタイミング機構１５０のロック機構により最も遅いタイミングにロックされた吸気バルブ１５０の開閉タイミングをより的確に目標タイミングにすることができる。
【００１７】
以上説明した実施例のハイブリッド自動車２０によれば、エンジン３２を自動始動するときには、エンジン３２の目標回転数Ｎｅ＊に所定回転数Ｎｓｅｔを加えた値としてクランキング回転数Ｎｓｔａｒｔを設定してエンジン３２のモータ４１によるクランキングを開始し、エンジン３２の回転数Ｎｅがクランキング回転数Ｎｓｔａｒｔから所定マージンαの範囲内に至るのを待って吸気バルブ１２８の開閉タイミングとしてエンジン３２の目標運転ポイント（目標回転数と目標トルク）に応じた目標タイミングを指令開閉タイミングＶＶＴ＊に設定することにより、直ちにロックピン本体１５４ａによるロックを解除して吸気バルブ１２８の開閉タイミングＶＶＴを指令開閉タイミングＶＶＴ＊に向けて変更することができる。この結果、エンジン３２の自動始動時に可変バルブタイミング機構１５０のロック機構により最も遅いタイミングにロックされた吸気バルブ１５０の開閉タイミングをより的確に目標タイミングにすることができる。
【００１８】
実施例の主要な要素と課題を解決するための手段の欄に記載した発明の主要な要素との対応関係について説明する。実施例では、可変バルブタイミング機構１５０が取り付けられたエンジン３２が「エンジン」に相当し、モータ４１が「発電機」に相当し、プラネタリギヤ３８が「遊星歯車機構」に相当し、モータ４２が「電動機」に相当し、バッテリ４８が「バッテリ」に相当し、ギヤポンプ３３が「機械式油圧ポンプ」に相当し、エンジン３２の運転を停止しているときにエンジン指令パワーが始動用閾値を超えたときにはモータ４１からエンジン３２をクランキングするためのトルクを出力すると共にモータ４２から要求トルクに見合うトルクとモータ４１によるエンジン３２のクランキングに伴ってプラネタリギヤ３８を介して駆動軸２２に出力されるトルクを打ち消すトルクとの和のトルクを出力して走行しながらエンジン３２を始動する自動始動と、エンジン３２を運転しているときにエンジン指令パワーが停止用閾値を下回ったときには要求トルクに見合うトルクをモータ４２から出力しながら必要に応じて一時的なエンジン３２のアイドル運転により可変バルブタイミング機構１５０による吸気バルブ１２８の開閉タイミングが最も遅い最遅角のタイミングになった以降にエンジン３２の運転を停止する自動停止とを行ない、エンジン３２を自動始動するときには、エンジン３２の目標回転数Ｎｅ＊に所定回転数Ｎｓｅｔを加えた値としてクランキング回転数Ｎｓｔａｒｔを設定してエンジン３２のモータ４１によるクランキングを開始し、エンジン３２の回転数Ｎｅがクランキング回転数Ｎｓｔａｒｔから所定マージンαの範囲内に至るのを待って吸気バルブ１２８の開閉タイミングとしてエンジン３２の目標運転ポイント（目標回転数と目標トルク）に応じた目標タイミングを指令開閉タイミングＶＶＴ＊に設定する図５の自動始動時回転数開閉タイミング制御ルーチンを実行するハイブリッド用電子制御ユニット５０と、目標回転数や目標トルクに基づいてエンジン３２を駆動制御すると共に指令開閉タイミングＶＶＴ＊の設定に伴って可変バルブタイミング機構１５０を駆動制御するエンジンＥＣＵ３６と、トルク指令に基づいてモータ４１，４２を駆動制御するモータＥＣＵ４６とが「制御手段」に相当する。
【００１９】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２０】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２１】
本発明は、ハイブリッド自動車の製造産業などに利用可能である。
【符号の説明】
【００２２】
２０  ハイブリッド自動車、２２  駆動軸、２４  デファレンシャルギヤ、２６ａ，２６ｂ  駆動輪、３２  エンジン、３３  ギヤポンプ、３４  クランクシャフト、３６  エンジン用電子制御ユニット、３８  プラネタリギヤ、４１，４２  モータ、４３，４４  インバータ、４６  モータ用電子制御ユニット、４８  バッテリ、５０  ハイブリッド用電子制御ユニット、５２  シフトポジションセンサ、５４  アクセルペダルポジションセンサ、５６  ブレーキペダルポジションセンサ、５８  車速センサ、１２８  吸気バルブ、１２９  インテークカムシャフト、１５０  可変バルブタイミング機構、１５２  ＶＶＴコントローラ、１５２ａ  ハウジング部、１５２ｂ  ベーン部、１５３  ベーンポジションセンサ、１５４  ロックピン、１５４ａ  ロックピン本体、１５４ｂ  スプリング、１５６  オイルコントロールバルブ、１５８  溝、１５９  油路、１６２  タイミングチェーン、１６４  タイミングギヤ。
【図１】
2010163994.tif 000003
【図２】
2010163994.tif 000004
【図３】
2010163994.tif 000005
【図４】
2010163994.tif 000006
【図５】
2010163994.tif 000007